(57)【要約】【課題】ダイヤフラムスプリングの上部スプリングカバーに息継ぎ口を形成した圧力調整器において、上部スプリングカバーに湿気や昆虫が入らない状態で上述した浸透圧を該部に逃すことが可能な構成を開示する。【解決手段】スプリングで常時押圧され、かつ二次圧によって前記スプリングに対する逆圧が印加されることにより圧力調整を行うダイヤフラムと、このダイヤフラムに直結してダイヤフラムの昇降に連動して昇降する弁棒と、この弁棒の先端側に設けられた弁体と、この弁体を常時着座方向に付勢する底部スプリングとからなる圧力調整器において、前記スプリングを収容する上部スプリングカバーに息継ぎ口が設けられ、この息継ぎ口には外気側先端に常時弾性的に閉弁し、かつカバー内が加圧状態になったときのみ開弁するリップ状弁体を備えた逆止弁を設けた。【選択図】        図２
2005018253.tif 000002
【特許請求の範囲】
【請求項１】
スプリングで常時押圧され、かつ二次圧によって前記スプリングに対する逆圧が印加されることにより圧力調整を行うダイヤフラムと、このダイヤフラムに直結してダイヤフラムの昇降に連動して昇降する弁棒と、この弁棒の先端側に設けられた弁体と、この弁体を常時着座方向に付勢する底部スプリングとからなる圧力調整器において、前記スプリングを収容する上部スプリングカバーに息継ぎ口が設けられ、この息継ぎ口には外気側先端に常時弾性的に閉弁し、かつカバー内が加圧状態になったときのみ開弁するリップ状弁体を備えた逆止弁を設けたことを特徴とする圧力調整器。
【請求項２】
リップ状弁体は、外気側先端を扁平したテーパ状とし、かつその先端に一文字の切込みを形成してなる請求項１記載の圧力調整器。
【請求項３】
リップ状弁体を収容するホルダーを備え、該ホルダーの外気側開口部に網状のストレーナーを設けた請求項１または２記載の圧力調整器。
【発明の詳細な説明】
【０００１】
【発明の属する技術分野】
本発明は、気体、特に液化石油ガス（以下、ＬＰＧという）などを燃焼器に供給する場合のガスライン中に設けられ、供給圧力を調整する圧力調整器に係り、詳しくは当該機構にダイヤフラムとこれを押圧するダイヤフラムスプリングとを有し、且つ、前記ダイヤフラムスプリングを収納するスプリングカバーに外気と連通する息継ぎ口が形成され、該息継ぎ口に一種の逆止弁を設けることによりスプリングカバー内に湿気や異物が入り込まない状態でダイヤフラムに対する浸透圧を外気に逃すようにした構成に関するものである。
【０００２】
【従来の技術】
従来からＬＰＧなどの気体を一定圧で送出するための機構としては気相ライン中に圧力調整器を設けることが公知である（例えば特許文献１参照）。そして、この圧力調整器の一般的な構成としては図３に示すようなものがある。ここで、９１は一次側流路、９２は二次側流路、９３は一次側と二次側の流路９１・９２間に設けられた弁構造であり、弁座９４に対して弁９５が着座可能に構成されている。弁９５は弁棒９６を介してダイヤフラム９７に接続されており、このダイヤフラム９７を押し下げるスプリング９８と、二次圧が導入されるダイヤフラム室９９のガス圧のダイヤフラム９７への付勢力との差によって弁９５が弁座９４に対して距離を保つことにより、圧力調整を行ってる。また、１００は底部スプリングであり、弁９５を弁座９４の方向に絶えず付勢している。そして、当該構成では、ダイヤフラム室９９に二次圧が導入されてダイヤフラム９７がスプリング９８とダイヤフラム室９９のガス圧との拮抗によって作動すればこれに接続された弁棒９６が下向きに作動し、底部スプリング１００に抗して弁９５が弁座９４から離脱するので、弁９５と弁座９４のクリアランスに応じた流量のＬＰＧが二次側流路に流出するものである。
【０００３】
【特許文献１】
特開平１１−１０８２９７号公報
【０００４】
【発明が解決しようとする課題】
ところで、上述した圧力調整器のスプリング９８を収容する上部スプリングカバー１０１には、図３において１０２で示すような息継ぎ口が形成されている。この息継ぎ口１０２はダイヤフラム室９９に充満するＬＰＧのダイヤフラム９７に対する浸透圧を逃す機能を持つ。
【０００５】
しかしながら従来は、息継ぎ口１０２を単に上部スプリングカバー１０１に貫設するなどして形成していたため、上部スプリングカバー１０１が外気と連通する結果、息継ぎ口１０２を介して上部スプリングカバー１０１内に湿気が溜まり、これが結露したり凍結することによってダイヤフラム９７が動作不良を起こす原因となることがあった。また、息継ぎ口１０２からは湿気の他、小さな昆虫がスプリングカバー１０１内に入り込むこともあり、これまたダイヤフラム９７の正常動作を妨げる要因ともなっていた。
【０００６】
本発明は上述した従来の課題を解決するためになされたもので、その目的とするところはダイヤフラムスプリングの上部スプリングカバーに息継ぎ口を形成した圧力調整器において、上部スプリングカバーに湿気や昆虫が入らない状態で上述した浸透圧を該部に逃すことが可能な構成を開示することである。
【０００７】
【課題を解決するための手段】
上述した目的を達成するために本発明では、スプリングで常時押圧され、かつ二次圧によって前記スプリングに対する逆圧が印加されることにより圧力調整を行うダイヤフラムと、このダイヤフラムに直結してダイヤフラムの昇降に連動して昇降する弁棒と、この弁棒の先端側に設けられた弁体と、この弁体を常時着座方向に付勢する底部スプリングとからなる圧力調整器において、前記スプリングを収容する上部スプリングカバーに息継ぎ口が設けられ、この息継ぎ口には外気側先端に常時弾性的に閉弁し、かつ前記スプリングカバー内が加圧状態となったときのみ開弁するリップ状弁体を備えた逆止弁を設けるという手段を用いた。この手段によれば、圧力調整の作用原理は従来のものと変わるところはなく、その息継ぎ口においてリップ状弁体を備えた逆止弁により、上部スプリングカバーにダイヤフラムに対する浸透圧が作用した場合の他、リップ状弁体はその弾性力によって常時閉弁しているため、外気が上部スプリングカバーに侵入することがない。
【０００８】
また請求項２では、リップ状弁体は、外気側先端を扁平のテーパ状とし、かつその先端に一文字の切込みを形成するという手段を選択的に用いる。この構成によれば、より確実に浸透圧の放出と、常時閉弁性能を高めることができる。
【０００９】
さらに請求項３では、リップ状弁体を収容するホルダーを備え、該ホルダーの外気側開口部に網状のストレーナーを設けることとしたので、ストレーナーによって異物が細くされると共に、昆虫の営巣や脱糞を防止して、逆止弁の不用意な閉弁を防止することができる。
【００１０】
【発明の実施の形態】
以下、本発明の好ましい実施の形態を添付した図面に従って説明する。図１は本発明の一実施形態に係る圧力調整器を示した断面図であって、１は一次側ガス入り口、２は二次側ガス出口、３は一次室、４は二次室、５は弁座、６は弁体である。弁体６は弁棒構造７と機構的に接続しており、弁棒構造７はダイヤフラム８の動作に応じて昇降する。１０はダイヤフラムスプリング、１１はダイヤフラム室、１２はダイヤフラムスプリング１０の押圧力を調整するための圧力調整ネジであり、これをねじ込むほど二次側ガス出口圧力の設定が高くなる。１３は底部スプリングであり、ダイヤフラムスプリング１０よりも充分弱い弾発力を有し、弁体６を絶えず弁座５の方向に押圧している。これらの構造は基本的には公知のダイヤフラムを用いた圧力調整器と変わるところはない。即ち、本器にガスが流入していない状態で圧力調整ネジ１２による設定を行わない場合には、ダイヤフラム８は定位置にあり、底部スプリング１３によって弁体６は弁座５に着座している。続いて圧力調整ネジ１２によってダイヤフラムスプリング１０に対して押圧力を付与すれば弁体６が弁座５から離脱して開弁するが、二次側圧力は通気管１４を介してダイヤフラム室１１にも導入されるため、ダイヤフラム室１１の圧力とダイヤフラムスプリング１０の押圧力との作用力の差によって弁の開度が決定される。
【００１１】
ここまでは主として本器の本体２０の内部構造を説明したものであるが、該本体２０にはダイヤフラムスプリング１０を収容する上部スプリングカバー３０が組み付けられており、該カバー３０には上記圧力調整ネジ１２が上下動可能に設けられると共に、その横手には息継ぎ口４０が形成されていることは、従来技術で説明した通りである。
【００１２】
そして本発明では、この息継ぎ口４０に図２に示したような構造の逆止弁５０を設けていることを最大の特徴とする。即ち、本発明では、息継ぎ口４０に後述する逆止弁５０さえ有しておれば、その他の部位に関して上記構成からの変更は可能である。該逆止弁５０は直接的には圧力調整を決定付けるものではないとも言えるからである。
【００１３】
図２において、５１は本逆止弁５０を息継ぎ口４０に接続するためのニップル、５２は本体、５３はリップ状弁体、５４は本体５２と螺合されリップ状弁体５３を収容するホルダー、５５はホルダー５４の他端開口に組み付けられたストレーナーである。この逆止弁５０は、ニップル５１からホルダー５４に至るまで通気可能で、本器の上部スプリングカバー３０内と外気とを連通するものである。
【００１４】
そして、リップ状弁体５３はゴムなどの弾性体よりなり、図２からも明らかなように、外気側（図における下側）が扁平のテーパ状となっており、且つ、そのテーパ状先端５３ａには一文字の切込み５３ｂが形成されている。このため、このリップ状弁体５３は常時切込み５３ｂが閉弁することによって外気の侵入を防止している。しかしながら、上部スプリングカバー３０から外気に向かって圧力が発生した場合は、該圧力によって切込み５３ｂが僅かに弾性的に開口し、該圧力を外気に逃すものである。この作用によってスプリングカバー３０の内圧が外気と拮抗すれば、リップ状弁体５３の切込み５３ｂはその弾性力によって閉弁状態に復帰する。従って、当該リップ状弁体５３を有する逆止弁５０を息継ぎ口４０に備えた本圧力調整器によれば、ダイヤフラム８に対する浸透圧を外気に有効に逃しつつ、外気がスプリングカバー３０に侵入することを防止できるから、スプリングカバー３０内の異常圧力を防止しつつ、湿気による結露や凍結を防止できる結果、ダイヤフラム８の正常動作を担保するものである。
【００１５】
また、この実施形態では外気に曝される側のホルダー５４の開口部にストレーナー５５を設けたので、異物の侵入が確実に防止できる共に、昆虫は網状物にとまらず、糞をしない習性があるため、昆虫によるホルダー開口部の不用意な閉弁も防止することができる。
【００１６】
【発明の効果】
以上説明したように、本発明によれば、上部スプリングカバーに形成した息継ぎ口にリップ状弁体を備える逆止弁を設けることとしたので、前記カバー内に発生するダイヤフラムに対する浸透圧のみを外気に放出することができ、これ以外は外気との連通を断つため、湿気た外気の侵入が防止され、結果、カバー内の結露や凍結が回避されることによって、常にダイヤフラムの正常動作が担保される。また、請求項２ではこの作用効果をより確実なものとすることができると共に、請求項３ではより異物侵入の防止作用が高まる。
【図面の簡単な説明】
【図１】本発明の一実施形態に係る圧力調整器を示した断面図
【図２】同調整器における逆止弁を示した断面図
【図３】従来一般的な圧力調整器を示した断面図
【符号の説明】
１  一次側ガス入り口
２  二次側ガス出口
３  一次室
４  二次室
５  弁座
６  弁体
７  弁棒構造
８  ダイヤフラム
１０  ダイヤフラムスプリング
１１  ダイヤフラム室
１２  圧力調整ネジ
１３  底部スプリング
１４  通気管
２０  本器の本体
３０  上部スプリングカバー
４０  息継ぎ口
５０  逆止弁
５１  ニップル
５２  逆止弁本体
５３  リップ状弁体
５４  ホルダー
５５  ストレーナー
【図１】
2005018253.tif 000003
【図２】
2005018253.tif 000004
【図３】
2005018253.tif 000005